(57)【特許請求の範囲】
【請求項１】
Ｕ字状支持部と，前記Ｕ字状支持部の両脚に各々一体形成された空間保持部と，からなると共に，
前記空間保持部は，
主支持板と，
前記主支持板を挟んだ両側に前記主支持板と垂直に，かつ挿入方向と平行に前記主支持板と一体形成された複数の拡張支持板と，
を含んでおり，前記主支持板と前記拡張支持板とが，複数の空気流通路を形成していることを特徴とする鼻詰まり防止具。
【請求項２】
Ｕ字状支持部と，前記Ｕ字状支持部の両脚に各々一体形成された空間保持部と，からなると共に，
前記空間保持部は，
主支持板と，
前記主支持板を挟んだ両側に前記主支持板の挿入方向の中心線を基準として放射状に，前記主支持板と一体形成された複数の拡張支持板と，
を含んでおり，前記主支持板と前記拡張支持板とが，複数の空気流通路を形成していることを特徴とする鼻詰まり防止具。
【請求項３】
Ｕ字状支持部と，前記Ｕ字状支持部の両脚に各々一体形成された空間保持部と，からなると共に，
前記空間保持部は，
主支持板と，
前記主支持板を挟んだ両側に挿入方向の断面が十字形状となるように，前記主支持板と一体形成された複数の拡張支持板と，
を含んでおり，前記主支持板と前記拡張支持板とが，複数の空気流通路を形成していることを特徴とする鼻詰まり防止具。
【発明の詳細な説明】
【０００１】
【発明の属する技術分野】
本発明は，鼻孔に挿入することで鼻道に空気の通り道を作り，鼻詰まりにより起こる無呼吸現象やいびき現象を防止することが可能な鼻詰まり防止具に関するものである。
【０００２】
【従来の技術】
一般的に，鼻中隔湾曲症や慢性肥厚性鼻炎，蓄膿症，アレルギ−性鼻炎，アデノイド肥大症などによって発生する無呼吸現象や，いびき現象は，殆ど次のような理由から発生する。
【０００３】
内面が粘膜で覆われている鼻腔の鼻甲介部は微細血管が密集しており，寒気などにより，腫れて鼻道を閉鎖させることがある。その場合，鼻から流入する空気の量が少なくなり呼吸が困難になる。このように鼻道が狭くなった状態の時，仰向けで睡眠を取ると，舌根が咽の奥側へ垂れ下がり空気通路が狭まったり，或いは閉鎖してしまう。このように狭くなった通路から空気を吸い込むと，弛緩した軟口蓋が振動して，いびきをかくのである。
【０００４】
睡眠中に無呼吸現象が発生したり，激しくいびきをかく時は，空気を十分に吸い込むことができないから，良質の睡眠を取ることができず，睡眠の後でも眠くて頭がさっぱりしなくなる。特に，このような状態が持続すると，集中力と判断力が落ちるだけでなく，酸素不足によって心臓に無理がかかると共に，高血圧と不整脈によって心臓病が発生するという問題が引き起こされることがある。
【０００５】
このような問題を物理的に解消するために提案されたものとしては，韓国特許登録第２７９７００号「呼吸補助具」が知られている。これは，Ｕ字形状を有する連結部の両端各々に，鼻中隔圧迫部を一体に形成したものであり，鼻中隔圧迫部の間隔は，Ｕ字連結部の両端よりも狭くなっている。Ｕ字連結部の両端を手で広げて鼻中隔圧迫部の間隔を広め，間隔の広くなった鼻中隔圧迫部を外鼻孔に挿入した後，連結部から手を放すと，広げられていた鼻中隔圧迫部が元に戻って狭まり，鼻中隔（鼻孔の真中で鼻孔を左右に分けている仕切り骨）を圧迫する。鼻中隔が圧迫されると，刺激が脳に伝達されて鼻の運動中樞に作用し，鼻道を広めて空気が円滑に流通するようにしたものである。
【０００６】
【発明が解決しようとする課題】
しかし，このような従来の呼吸補助具は，繰り返し使用して鼻中隔の神経を圧迫すると，鼻中隔の神経が鈍くなって効果が徐々に低下する。また，繰り返し使用することによって，鼻中隔の両面に加えられる鼻中隔圧迫部の圧力が弱くなり，鼻中隔の両面を均一に圧迫しなくなるので，鼻中隔が異常に撓む現象が発生する。このように鼻中隔が撓む現象が発生すると，鼻詰まりなどの症状を誘発させるだけでなく，鼻の機能障害を引き起こし，これにより激しいいびき現象を起こすようになるという問題があった。
【０００７】
本発明は，従来の鼻詰まり防止具が有する上記問題点に鑑みてなされたものであり，本発明の目的は，空気流通路を備えた鼻詰まり防止具を鼻孔に挿入することにより鼻道が詰まる現象を防止して，また，繰り返し使用しても効果が衰えたり，鼻に異常を引き起こすことがなく，常に円滑な呼吸を可能にした，新規かつ改良された鼻詰まり防止具を提供することにある。
【０００８】
【課題を解決するための手段】
上記課題を解決するため，本発明の第１の観点によれば，Ｕ字状支持部と，前記Ｕ字状支持部の両脚に各々一体形成された空間保持部と，からなると共に，前記空間保持部は，主支持板と，主支持板を挟んだ両側に主支持板と垂直に，かつ挿入方向と平行に主支持板と一体形成された複数の拡張支持板と，を含んでおり，主支持板と拡張支持板とが，複数の空気流通路を形成していることを特徴とする鼻詰まり防止具が提供される。
【００１０】
上記課題を解決するため，本発明の第２の観点によれば，Ｕ字状支持部と，Ｕ字状支持部の両脚に各々一体形成された空間保持部と，からなると共に，空間保持部は，主支持板と，主支持板を挟んだ両側に主支持板の挿入方向の中心線を基準として放射状に，主支持板と一体形成された複数の拡張支持板と，を含んでおり，主支持板と拡張支持板とが，複数の空気流通路を形成していることを特徴とする鼻詰まり防止具が提供される。
【００１１】
上記課題を解決するため，本発明の第３の観点によれば，Ｕ字状支持部と，Ｕ字状支持部の両脚に各々一体形成された空間保持部と，からなると共に，空間保持部は，主支持板と，主支持板を挟んだ両側に挿入方向の断面が十字形状となるように，主支持板と一体形成された複数の拡張支持板と，を含んでおり，主支持板と拡張支持板とが，複数の空気流通路を形成していることを特徴とする鼻詰まり防止具が提供される。
【００１２】
【発明の実施の形態】
以下に添付図面を参照しながら，本実施形態にかかる鼻詰まり防止具について詳細に説明する。なお，本明細書，及び図面において，実質的に同一の機能構成を有する構成要素については，同一の符号を付することにより重複説明を省略する。
【００１３】
図１〜図４は本実施形態にかかる鼻詰まり防止具１を示す図である。図１は第１の実施の形態にかかる全体斜視図，図２は第１の実施の形態にかかる，（ａ）は正面図，（ｂ）は側面図，（ｃ）は上面図である。さらに図３は，第２の実施の形態にかかる上面図，図４は，第３の実施の形態にかかる上面図である。
【００１４】
（第１の実施の形態）
第１の実施の形態にかかる鼻詰まり防止具１は，図１〜図２に示すように，Ｕ字状支持部３の両脚に空間保持部２をそれぞれ一体形成している。空間保持部２は，主支持板４を挟んだ両側に，複数の拡張支持板５を主支持板４と垂直に，かつ挿入方向と平行に一体形成し，主支持板４と拡張支持板５との間に空気流通路６ができるようにした。また，主支持板４及び拡張支持板５の上下端の角部を丸くしてスム−スに挿入，離脱できるようにした。
【００１５】
ここで，第１の実施の形態にかかる鼻詰まり防止具の使用方法を説明する。鼻詰まり防止具１を使用しようとする際には，Ｕ字状支持部３を把持した状態で空間保持部２の先端を鼻孔の入口に位置させ，Ｕ字状支持部３を上方に押し上げると，空間保持部２が鼻孔の内部に挿入される。空間保持部２が鼻孔に挿入されると，主支持板４と拡張支持板５によって，鼻孔の内壁を拡張させた状態を保つと同時に，鼻道の外壁が引っ張られないように保持するので，十分な空気流通孔６が保たれる。従って，空気流通孔６によって鼻道が詰まる現象を防止することができ，円滑な呼吸が可能となる。
【００１６】
（第２の実施の形態）
次に，第２の実施の形態にかかる鼻詰まり防止具について説明する。第２の実施の形態にかかる鼻詰まり防止具は，第１の実施の形態と同様に，Ｕ字状支持部３の両脚に空間保持部２をそれぞれ一体形成している。第２の実施の形態では，空間保持部のみが第１の実施の形態と異なる形状であり，図３の上面図に示すように空間保持部２は，主支持板４の挿入方向の中心線を基準として複数の拡張支持板５を放射状に一体形成して，主支持板４と拡張支持板５との間に空気流通路６が設けられるようにした。
【００１７】
第２の実施の形態にかかる鼻詰まり防止具の使用方法については，第１の実施の形態と同様に，鼻詰まり防止具１のＵ字状支持部３を把持して，空間保持部２を鼻孔の内部に挿入する。図３に示す空間保持部２が鼻孔に挿入されると，各拡張支持板５の外面によって，鼻道の外壁が引っ張られないように，鼻孔の内壁が拡張された状態を保っているので，主支持板４と拡張維持板５との間に保持される空気流通路６を通して，容易に呼吸することができる。
【００１８】
（第３の実施の形態）
さらに，第３の実施の形態にかかる鼻詰まり防止具について説明する。第３の実施の形態にかかる鼻詰まり防止具は，第１の実施の形態と同様に，Ｕ字状支持部３の両脚に空間保持部２をそれぞれ一体形成している。第３の実施の形態では空間保持部のみが第１の実施の形態と異なる形状であり，図４の上面図に示すように空間保持部２は，主支持板４を挟んで両側に，拡張支持板５の挿入方向断面が十字状になるように一体形成して，主支持板４と拡張支持板５との間に空気流通路６が設けられるようにした。
【００１９】
第３の実施の形態にかかる鼻詰まり防止具の使用方法についても，第１の実施の形態と同様であり，鼻詰まり防止具１のＵ字状支持部３を把持して，空間保持部２を鼻孔の内部に挿入する。図４に示す空間保持部２が鼻孔に挿入されると，主支持板４の両端面と各拡張支持板５の外端面によって，鼻道の外壁が引っ張られないように，鼻孔の内壁が拡張された状態を保っているので，これらの間に設けられた空気流通路６を通して，容易に呼吸することができる。
【００２０】
こうして，第１〜第３の実施の形態による鼻詰まり防止具を使用した後に，鼻孔から引き出して，きれいに洗浄，乾燥させて消毒を行うと，繰り返し使用することが可能であり，体積も小さいので，容易に携帯することができる。また，構造が非常に簡単であるので，鼻孔の内壁（鼻道の外壁）を損傷させることもなく，容易に使用することができる。
【００２１】
以上，添付図面を参照しながら本実施形態にかかる鼻詰まり防止具の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００２２】
【発明の効果】
以上説明したように，本発明によれば，Ｕ字状支持部の両脚に空間保持部が形成された鼻詰まり防止具を鼻孔に挿入することにより，鼻孔の内壁を拡張して，空気流通路が確保され，容易に呼吸できるようになる。従って，鼻道が詰まって睡眠中に無呼吸現象が発生したりいびきをかいたりする現象を防止することができ，良質の睡眠を取ることができるだけでなく，酸素不足現象によって心臓病などが発生する危険を防止することができる。
【図面の簡単な説明】
【図１】本発明の第１の実施形態にかかる，鼻詰まり防止具を示す斜視図である
【図２】本発明の第１の実施形態にかかる，鼻詰まり防止具を示す図であり，（ａ）は正面図，（ｂ）は，側面図，（ｃ）は上面図である。
【図３】本発明の第２の実施形態にかかる，鼻詰まり防止具の空間保持部についての上面図である。
【図４】本発明の第３の実施形態にかかる，鼻詰まり防止具の空間保持部についての上面図である。
【符号の説明】
１  鼻詰まり防止具
２  空間保持部
３  Ｕ字状の支持部
４  主支持板
５  拡張支持板
６  空気流通路
【図１】
0003646794.tif 000002
【図２】
0003646794.tif 000003
【図３】
0003646794.tif 000004
【図４】
0003646794.tif 000005